(57)【要約】【課題】常夜灯点灯時において常夜灯光源からの光による発光面の輝度ムラを低減して良好な外観を得られる照明装置を提供する。【解決手段】中央部に空間Ｓが設けられた装置本体と、主光源ＬＥＤ４と、前記装置本体の外周部に設けられ、主光源ＬＥＤ４からの光を出射して発光する第１発光面２ａと、空間Ｓの外縁部から中心方向に光を出射する常夜灯ＬＥＤ５と、空間Ｓに対向して設けられ、常夜灯ＬＥＤ５からの光を出射して発光する第２発光面３ａと、第２発光面３ａとの間に空間Ｓを配置し、常夜灯ＬＥＤ５からの光を反射して第２発光面３ａ側に光を出射する内側面１ａと、を備えることを特徴とする。装置本体の照射面側の全面に比較して面積が狭い中央部に常夜灯ＬＥＤ５による第２発光面３ａを形成することができ、常夜灯点灯時に均一な発光面を得ることができる。【選択図】図４
2013110030.tif 000002
【特許請求の範囲】
【請求項１】
中央部に空間が設けられた装置本体と、
第１光源と、
前記装置本体の外周部に設けられ、前記第１光源からの光を出射して発光する第１発光面と、
前記空間の外縁部から中心方向に光を出射する第２光源と、
前記空間に対向して設けられ、前記第２光源からの光を出射して発光する第２発光面と、
該第２発光面との間に前記空間を配置し、前記第２光源からの光を反射して前記第２発光面側に光を出射する反射部と
を備えることを特徴とする照明装置。
【請求項２】
前記空間内部の前記反射部と前記第２発光面との間で前記反射部に対向して配置され、該第２発光面内における輝度の分布を調整する調整部を備え、
該調整部は、前記第２光源の光軸方向に近づくに従って入射した光のうち反射する光の割合が高くなり、前記第２光源の光軸方向から離れるに従って入射した光のうち透過する光の割合が高くなるように形成されてあることを特徴とする請求項１に記載の照明装置。
【請求項３】
前記空間の外縁部に配置される光源取付部を備え、
前記第１光源は、前記光源取付部の前記装置本体の外側を向く面に取り付けられ、
前記第２光源は、前記光源取付部の前記装置本体の内側を向く面に取り付けられることを特徴とする請求項１または２に記載の照明装置。
【請求項４】
前記光源取付部は、前記装置本体の中央部と外周部との間を仕切ることで前記空間を形成することを特徴とする請求項３に記載の照明装置。
【請求項５】
前記装置本体に設けられ、外部電源に接続されるアダプタに装着されることで前記装置本体を取付け面に取り付けるアダプタ装着部を備え、
該アダプタ装着部は、前記空間内部に突出する突出部を有し、
該突出部は、前記第２光源からの光を透過することを特徴とする請求項１から４のいずれか１項に記載の照明装置。
【請求項６】
前記第１光源および前記第２光源はＬＥＤからなることを特徴とする請求項１から５のいずれか１項に記載の照明装置。
【発明の詳細な説明】
【技術分野】
【０００１】
本発明は、光源と、該光源からの光を出射する発光面とを備える照明装置に関する。
【背景技術】
【０００２】
従来から、常夜灯光源として、発光ダイオード（以下ＬＥＤと称する）を用いた照明器具が提案されている（例えば特許文献１参照）。
【０００３】
特許文献１に記載の照明器具２００は、図８に示すように、常夜灯光源としての発光ダイオード素子２０１が、天井面に照明器具を取り付けるための取付アダプタ２０２に設けられている。発光ダイオード素子２０１が発光した光は、照明器具２００の内部を照射し、カバー２０３の照射範囲２０３ａを内側から照射する。
【先行技術文献】
【特許文献】
【０００４】
【特許文献１】特開２００８−２６２８６１号公報
【発明の概要】
【発明が解決しようとする課題】
【０００５】
しかしながら、特許文献１に記載の照明器具２００は、発光ダイオード素子２０１の光軸がカバー２０３の中央に対して垂直方向をなすようにカバー２０３に対して直接光を照射している。しかも、発光ダイオード素子２０１は指向性が強い光源であり、かつ常夜灯光源であるため主光源である放電灯２０４と比較して光量が低いため、発光ダイオード素子２０１と対向するカバー２０３の照射範囲２０３ａの中央から離れるに従ってカバー２０３の外周部が暗くなる。
【０００６】
つまり、常夜灯点灯時において、発光面であるカバー２０３を均一に発光させることができず、輝度ムラが生じる。このように、上記従来の照明器具２００においては、常夜灯点灯時の照明器具２００の発光面の美観を損ねるという問題がある。
【０００７】
本発明は、上記問題に鑑みてなされたものであり、常夜灯点灯時において常夜灯光源からの光による発光面の輝度ムラを低減して良好な外観を得られる照明装置を提供することを目的とする。
【課題を解決するための手段】
【０００８】
本発明に係る照明装置は、中央部に空間が設けられた装置本体と、第１光源と、前記装置本体の外周部に設けられ、前記第１光源からの光を出射して発光する第１発光面と、前記空間の外縁部から中心方向に光を出射する第２光源と、前記空間に対向して設けられ、前記第２光源からの光を出射して発光する第２発光面と、該第２発光面との間に前記空間を配置し、前記第２光源からの光を反射して前記第２発光面側に光を出射する反射部と、を備えることを特徴とする。
【０００９】
本発明にあっては、中央部に空間が設けられた装置本体の外周に第１光源からの光で発光する第１発光面を有し、第１発光面の内側の中央部の前記空間に対向する位置に、第２光源からの光で発光する第２発光面を有する。すなわち、装置本体の照射面側の全面でなく、当該全面に比較して面積が狭い中央部に第２光源による発光面を形成することができる。これにより、第２光源が常夜灯光源のように、光源の点数や光量が主光源に比較して少ない光源であったとしても、点灯時に均一な発光面を得ることが可能となる。
【００１０】
本発明に係る照明装置は、前記空間内部の前記反射部と前記第２発光面との間で前記反射部に対向して配置され、該第２発光面内における輝度の分布を調整する調整部を備え、該調整部は、前記第２光源の光軸方向に近づくに従って入射した光のうち反射する光の割合が高くなり、前記第２光源の光軸方向から離れるに従って入射した光のうち透過する光の割合が高くなるように形成されてあることを特徴とする。
【００１１】
本発明にあっては、反射部から第２発光面側に出射される光の量を調整部の面上において調整することで、たとえ第２発光面が広域である場合でも、少ない光源点数または少ない光量で第２発光面全域に均一に光を照射することができる。従って、第２光源からの光により第２発光面を均一に発光させることができ、照明装置の良好な外観を得ることが可能となる。
【００１２】
本発明に係る照明装置は、前記空間の外縁部に配置される光源取付部を備え、前記第１光源は、前記光源取付部の前記装置本体の外側を向く面に取り付けられ、前記第２光源は、前記光源取付部の前記装置本体の内側を向く面に取り付けられることを特徴とする。
【００１３】
本発明にあっては、第１光源および第２光源は共通の光源取付部の両面に取り付けられるので、それぞれの光源を取り付けるための別々の部材を設ける必要がなく、部品点数を削減できるとともに、装置本体内部の空間を効率的に利用することができる。また、それぞれ発光させる発光面が異なる光源を、光源取付部の両面に対向させて光出射方向が反対側になるように取り付けることで、第１発光面と第２発光面との境界を明確にすることができ、特に第２光源を常夜灯光源としたとき、当該常夜灯点灯時に第２発光面のみを均一に発光させることが可能となる。
【００１４】
本発明に係る照明装置は、前記光源取付部は、前記装置本体の中央部と外周部との間を仕切ることで前記空間を形成することを特徴とする。
【００１５】
本発明にあっては、光源取付部が装置本体の中央部と外周部との間を仕切ることで、中央部の空間から外側の第１発光面側に向かう光を遮蔽し、第２光源点灯時において第１発光面と第２発光面との境界を明確にすることができる。これにより、より確実に第２発光面のみを均一に発光させることができる。
【００１６】
本発明に係る照明装置は、前記装置本体に設けられ、外部電源のアダプタに装着されることで前記装置本体を取付け面に取り付けるアダプタ装着部を備え、該アダプタ装着部は、前記空間内部に突出する突出部を有し、該突出部は、前記第２光源からの光を透過することを特徴とする。
【００１７】
本発明にあっては、アダプタ装着部の突出部は、空間内部で第２光源の光出射方向に対向して配置されるが、突出部は光を透過する樹脂材料製であるので、突出部に入射した光を透過して第２発光面側へ出射することができる。これにより、光利用効率を向上させるとともに、第２発光面の中央部分の輝度の低下を抑制してより均一に発光させることが可能となる。
【００１８】
本発明に係る照明装置は、前記第１光源および第２光源はＬＥＤからなることを特徴とする。
【００１９】
本発明にあっては、第１光源および第２光源をＬＥＤにより構成する。これにより、指向性の強いＬＥＤを利用して装置本体の厚みを増さずに均一な発光面を得ることができる。
【発明の効果】
【００２０】
本発明によれば、常夜灯点灯時において常夜灯光源からの光による発光面の輝度ムラを低減して良好な照明装置の外観を得ることができる。
【図面の簡単な説明】
【００２１】
【図１】本発明の実施の形態に係る照明装置の外観の側面図および平面図である。
【図２】図１に係る照明装置の縦断面図である。
【図３】図１に係る照明装置の分解斜視図である。
【図４】図２に係る縦断面図の要部拡大図である。
【図５】本発明の実施の形態に係る照明装置の電源回路のブロック図である。
【図６】本発明の実施の形態に係る照明装置の白色パターンの一例を示す平面図である。
【図７】図６の白色パターンと異なる白色パターンの他の例を示す平面図である。
【図８】従来の照明器具を示す図である。
【発明を実施するための形態】
【００２２】
以下、本発明をその実施の形態を示す図面に基いて、天井や壁等の取付け面に設けられた引掛シーリング等の取付部材に着脱可能に取り付けられる、所謂シーリングライト型の照明装置を例に説明する。
【００２３】
図１は、本発明の実施の形態に係る照明装置１００の外観の側面図および平面図である。図２は、図１に係る照明装置１００の縦断面図である。図３は、図１に係る照明装置１００の分解斜視図である。図４は、図２に係る縦断面図の要部拡大図である。図５は、本発明の実施の形態に係る照明装置１００の電源回路の構成を表すブロック図である。図６は、本発明の実施の形態に係る照明装置１００の白色パターンの一例を示す平面図である。図７は、図６の白色パターンと異なる白色パターンの他の例を示す平面図である。
【００２４】
図１に示すように、本実施の形態に係る照明装置１００は、装置本体を構成する、シャーシ１および拡散カバー２を備える。シャーシ１は、中央に円形の貫通孔１１が形成された略円板状の部材であり、放熱性の良好な、アルミニウム、鉄等の金属製材料により構成されている。シャーシ１は、光源である主光源ＬＥＤ４及び常夜灯ＬＥＤ５からの熱を放熱する放熱部として機能する。シャーシ１は、放熱性が良好な金属製材料製であることが好ましいが、シャーシ１の構成材料はこれに限定されずセラミックスや樹脂等の金属と異なる材料製であってもよい。なお、シャーシ１の形状は、円形に限らず四角形等他の形状であってもよい。
【００２５】
シャーシ１の装置本体の内側の面である内側面１ａには、後述する主光源ＬＥＤ４および常夜灯ＬＥＤ５からの光を反射する反射シート（不図示）が装着されてある。反射シートは内周面１ａと略同一形状の円形をなし、中央に貫通孔１１と同一形状の孔が設けられてある。反射シートはＰＥＴ等の樹脂製あり、艶消し処理等の乱反射しやすい加工が施されている。なお、反射シートを構成する材料はＰＥＴに限定されない。また反射シートは上記艶消し処理等を施さず光沢を有し、これにより反射する光は、正反射成分を有するように構成してもよい。
【００２６】
反射シートの反射率は９８％を超えることが好ましい。なお、本実施の形態では、内側面１ａに反射シートを装着することでシャーシ１に上記光源からの光を反射する反射部を形成してあるが、これに限らず内側面１ａに直接白色塗料等の光を反射する塗装を施してもよいし、高い反射率を有する樹脂製のシャーシ１を形成することや内側面１ａに直接鏡面加工を施すことにより形成してもよい。
【００２７】
シャーシ１と共に装置本体を構成する拡散カバー２は、図３に示すように中央にシャーシ１側に窪んだ円形の凹部２１が形成され、外周部がシャーシ１側に緩やかに湾曲した円板状の外形をなしている。拡散カバー２は、内側面１ａを覆うようにシャーシ１に取り付けられ、後述する主光源ＬＥＤ４から出射された光を拡散して出射し、発光する第１発光面２ａを形成する。第１発光面２ａは、拡散カバー２の凹部２１を除く該凹部２１の周囲の面からなり、環状の発光面を形成する。なお、拡散カバー２および凹部２１の形状は、円形に限らず、四角形等他の形状であってもよい。
【００２８】
拡散カバー２は、光拡散材が分散された乳白色のポリカーボネート等の光透過性を有する樹脂材料製である。凹部２１の内側面１ａに対向する底面２１ａには、後述するローゼット接続アダプタ６からのコネクタを挿通するための穴２２が形成されている。また、底面２１ａには後述する白色パターン２３が形成されてある。
【００２９】
なお、凹部２１は、拡散カバー２の第１発光面２ａと一体的に成型されており、第１発光面２ａと同様に凹部２１も光拡散材が分散された乳白色の樹脂製材料から構成されていてもよいが、凹部２１の底面２１ａは透明な樹脂材料で構成されていてもよい。ただし、底面２１ａが光拡散性を有する乳白色の樹脂製の場合、底面２１ａ上にて拡散した光をセンターカバー３に出射するので、透明な樹脂材料製の場合に比較してセンターカバー３の輝度ムラをより低減できる点で好ましい。また、凹部２１は拡散カバー２の第１発光面２ａとそれぞれ別体に成型されてあってもよいが、一体に形成することで照明装置１００の構成部品点数が削減され、製造工程が減る点で有利である。
【００３０】
拡散カバー２には、中央の凹部２１を覆い、内側面１ａとの間に後述する空間Ｓが配置されるセンターカバー３が取り付けられる。センターカバー３は、凹部２１の直径よりもわずかに直径が大きい円板状をなし、後述する常夜灯ＬＥＤ５からの光を出射して発光する第２発光面３ａを形成する。センターカバー３は、拡散カバー２と同様に、光拡散材が分散された乳白色のポリカーボネート等の光透過性を有する樹脂材料製である。あるいは、表面にシボ加工処理を施したポリカーボネートやアクリルなどの透明樹脂材料製であってもよい。なお、センターカバー３の形状は、円形状に限定されず、四角形等他の形状であってもよい。
【００３１】
図２に示すように、シャーシ１の貫通孔１１には天井や壁等の取付け面に設けられた引掛けシーリング等の取付部材（不図示）に接続するローゼット接続アダプタ６に装着されるアダプタ装着部７が取り付けられる。
【００３２】
ローゼット接続アダプタ６は略円柱形状をなし、上記取付け面側の一端には、引掛シーリング等の取付部材の係合孔に係合して電気的および機械的に接続する引掛刃（不図示）が設けられてある。また、後述する電源部に接続されるコネクタ（不図示）を有する。また、ローゼット接続アダプタ６の側面には、アダプタ装着部７の内周面７ａの被係止片７１に係止する係止爪６１が設けられてある。シャーシ１側の他端に位置する円形の面６ａは、光反射性の白色塗料が塗布されており、面６ａは光を反射する反射面をなす。
【００３３】
アダプタ装着部７は、ローゼット接続アダプタ６が内挿される筒形状をなす。図４に示す、内周面７ａにおける上記取付け面側の一端７ａ１には係止爪６１が係止される被係止片７１を有し、装置本体側の他端７ａ２はシャーシ１の貫通孔１１の内部に挿通される。被係止片７１は、アダプタ装着部７の内側に突出した形状をなし、被係止片７１の装置本体側の面７１ａが係止爪６１の取付け面側の面６１ａと係止することで、装置本体がローゼット接続アダプタ６に支持され天井や壁等の取付け面に取り付けられる。
【００３４】
アダプタ装着部７は、後述する常夜灯ＬＥＤ５からの光を透過する、ポリカーボネートやアクリル等の透明な樹脂製材料により成型される。なお、本実施の形態においてはアダプタ装着部７全体が透明な樹脂材料製であるが、これに限定されず、貫通孔１１から後述する装置本体の空間Ｓ内部に突出する他端７ａ２側の突出部７ｂのみが光透過性材料から形成されていてもよい。なお、アダプタ装着部７を構成する材料は透明な樹脂材料に限定されず、不透明な樹脂材料で構成してもよい。
【００３５】
図３に示すように、シャーシ１の拡散カバー２の入射面２ａと対向する内側面１ａの内側、すなわち装置本体の内部には、矩形板状の第１ＬＥＤ基板４１と、矩形板状の第２ＬＥＤ基板５１と、第１ＬＥＤ基板４１及び第２ＬＥＤ基板５１が取り付けられるアングル８および第１ＬＥＤ基板４１に対向配置されるレンズ９が設けられている。
【００３６】
第１ＬＥＤ基板４１はガラスエポキシ樹脂やセラミックス製等の基板である。第１ＬＥＤ基板４１には、拡散カバー２の第１発光面２ａを発光させる第１光源であり照明装置１００の通常使用時に床面や机上面等の被照射面を照明する主光源ＬＥＤ４が実装されてある。また、第２ＬＥＤ基板５１はガラスエポキシ樹脂やセラミックス製の基板である。第２ＬＥＤ基板５１には、第２発光面３ａであるセンターカバー３を発光させる第２光源であり、就寝時等に点灯される常夜灯や補助光源として点灯される常夜灯ＬＥＤ５が実装されてある。
【００３７】
主光源ＬＥＤ４は、第１ＬＥＤ基板４１の長手方向に沿って列状に複数実装され、例えば昼白色ＬＥＤと電球色ＬＥＤの２種類の色温度の異なるＬＥＤが使用される。主光源ＬＥＤ４は、例えばＬＥＤ素子と、該ＬＥＤ素子を封止し、蛍光体が分散された封止樹脂と、入力端子及び出力端子とを備えてなる表面実装型ＬＥＤである。常夜灯ＬＥＤ５は、例えば電球色の表面実装型ＬＥＤであり、第２ＬＥＤ基板５１に１個実装されてある。
【００３８】
なお、第１ＬＥＤ基板４１および第２ＬＥＤ基板５１に実装される主光源ＬＥＤ４および常夜灯ＬＥＤ５の個数は上記の数に限定されない。
【００３９】
また、本発明における第１光源および第２光源は、表面実装型ＬＥＤに限らず、所謂ＣＯＢ（Ｃｈｉｐ Ｏｎ Ｂｏａｒｄ）タイプのＬＥＤを用いてもよいし、ＬＥＤ以外のＥＬ（Ｅｌｅｃｔｒｏ  Ｌｕｍｉｎｅｓｃｅｎｃｅ）等他の光源を用いてもよい。
【００４０】
さらにまた、主光源ＬＥＤ４は上記２種類の色温度の異なるＬＥＤに限らず１種類のＬＥＤを用いてもよいし、３種類以上の色温度の異なるＬＥＤを用いてもよい。常夜灯ＬＥＤ５には電球色ＬＥＤに限らず昼白色ＬＥＤ、青色ＬＥＤまたは赤色ＬＥＤ等、他の色温度のＬＥＤを用いても良い。
【００４１】
アングル８は、主光源ＬＥＤ４および常夜灯ＬＥＤ５が取り付けられる光源取付部であり、図３および図４に示すように、縦断面がコの字型をなすよう屈曲させたアルミニウムや鉄等の金属製の矩形板８１が８枚環状に連結された形状をなす。アングル８は、貫通孔１１の周囲を囲む八角形をなすように配置されてあり、シャーシ１にネジ止めにより取り付けられる。
【００４２】
アングル８は、シャーシ１の中央部の貫通孔１１の周囲において装置本体の中央部と外周部との間を仕切る。より具体的には、アングル８の後述する板状の光源実装部８１ａは、シャーシ１から第１発光面２ａと第２発光面３ａとの境界の間において略垂直をなすように配置される。これにより、装置本体の中央部において、シャーシ１の内側面１ａ、センターカバー３及びアングル８の光源実装部８１ａにて囲まれる空間Ｓが形成される。つまり、アングル８は空間Ｓの外縁部に配置される。
【００４３】
環状に連結された８枚の矩形板８１からなるアングル８は、１枚の長尺の板金を環状に折り曲げて一体的に形成してもよいし、８枚それぞれ別体に形成した矩形板８１を溶接またはネジ止めして接続し、環状をなすべく一体的に形成してもよい。また、アングル８は、８枚の矩形板８１を機械的に連結せずに、それぞれ別体として貫通孔１１の周囲に環状をなすべく配置して直接内側面１ａに別々に取付けられていてもよい。
【００４４】
アングル８の矩形板８１は、図４に示すように、シャーシ１の内側面１ａに対して略垂直をなす光源実装部８１ａと、光源実装部８１ａの一方の端部からシャーシ１の外側に向けて垂直に屈曲し内側面１ａに取り付けられる取付部８１ｂと、光源実装部８１ａの他方の端部からシャーシ１の外側に向けて垂直に屈曲し取付部８１ｂに対向配置される反射片８１ｃとを有する。
【００４５】
なお、取付部８１ｂは、シャーシ１の内側、すなわちシャーシ１の中央部側に屈曲するよう配置されてあってもよい。つまり、矩形板８１は断面がコの字型である必要はない。ただし、矩形板８１は、取付部８１ｂと反射片８１ｃとを同一方向側に折り曲げた、断面がコの字型の形状である方がシャーシ１との接触面積を大きく取ることでき、放熱性が良い。
【００４６】
光源実装部８１ａの、シャーシ１の外側を向く第１実装面８１ａ１には、主光源ＬＥＤ４を実装した第１ＬＥＤ基板４１が、その長手方向が第１実装面８１ａ１の長手方向と一致するように取り付けられる。第１ＬＥＤ基板４１がシャーシ１の内側面１ａに対して直交するように取り付けられることで、主光源ＬＥＤ４は、その光軸が内側面１ａに対して略平行をなすべく取り付けられる。本実施の形態では第１ＬＥＤ基板４1は、アングル８を構成する８枚の矩形板８１の光源実装部８１ａ全部に取り付けられる。つまり、第１ＬＥＤ基板４１はアングル８の周囲８箇所に環状に取り付けられる。
【００４７】
また、光源実装部８１ａの第１実装面８１ａ１の裏面、つまりシャーシ１の内側（装置本体の中心側）を向く第２実装面８１ａ２には、常夜灯ＬＥＤ５を実装した第２ＬＥＤ基板５１が取り付けられる。第２ＬＥＤ基板５１がシャーシ１の内側面１ａに対して直交するように取り付けられることで、常夜灯ＬＥＤ５は光軸が内側面１ａに対して略平行をなすべく取り付けられる。常夜灯ＬＥＤ５は、光源実装部８１ａの内側面１ａ側の端部に位置するように取り付けられる。
【００４８】
第２ＬＥＤ基板５１は、本実施の形態では８枚の矩形板８１の一部、例えば２枚または４枚の矩形板８１の光源実装部８１ａに取り付けられる。第２ＬＥＤ基板５１は、２枚の矩形板８１に取り付けられる場合は、アングル８の周囲においてそれぞれ対向する矩形板８１に取り付けられる。また、４枚の矩形板８１に取り付けられる場合は、アングル８の周囲において等間隔に取り付けられる。
【００４９】
これにより、シャーシ１の貫通孔１１の周囲に環状をなすべく複数の主光源ＬＥＤ４が配置され、複数の主光源ＬＥＤ４を点灯したときに、装置本体の中央部から外縁部に向けて放射状に光が出射される。また、常夜灯ＬＥＤ５を点灯したときに、装置本体の中央の空間Ｓの外縁部から中心方向に向けて光が出射される。
【００５０】
なお、第１ＬＥＤ基板４１は、８枚の矩形板のうち一部に取り付けられていてもよいし、第２ＬＥＤ基板５１は、８枚の矩形板のうち全部に取り付けられていてもよい。つまり、第１ＬＥＤ基板４１および第２ＬＥＤ基板５１が取り付けられる数量および矩形板８１が取り付けられる位置は上記に限定されない。
【００５１】
アングル８は、主光源ＬＥＤ４および常夜灯ＬＥＤ５が取り付けられる光源取付部として機能するとともに、主光源ＬＥＤ４および常夜灯ＬＥＤ５からの熱を放熱する放熱部または上記熱をシャーシ１に伝導する熱伝導部としても機能する。
【００５２】
主光源ＬＥＤ４および常夜灯ＬＥＤ５は共通の光源取付部であるアングル８の両面に取り付けられるので、それぞれの光源を取り付けるための別々の部材を設ける必要がなく、部品点数を削減できるとともに、装置本体内部の空間を効率的に利用することができる。また、それぞれ発光させる発光面が異なる光源を、アングル８の両面に対向させて光出射方向が反対になるように取り付けることで、第１発光面２ａと第２発光面３ａとの境界を明確にすることができ、特に常夜灯点灯時に第２発光面３ａのみを均一に発光させることが可能となる。
【００５３】
矩形板８１の第１実装面８１ａ１には、主光源ＬＥＤ４からの出射光を屈折させて所望の配光に制御し、シャーシ１の内側面１ａに光を出射するレンズ９が取り付けられている。
【００５４】
レンズ９は、第１ＬＥＤ基板４１の長手方向に沿って実装された複数の主光源ＬＥＤ４を覆う長尺のレンズであり、押し出しにより成型される。レンズ９は、主光源ＬＥＤ４側に突出した入射面９ａおよび主光源ＬＥＤ４の光出射方向側に突出した出射面９ｂを有する所謂集光レンズである。また、レンズ９は、図４の縦断面図におけるシャーシ１側と拡散カバー２側の両側面に反射面９ｃを有する。
【００５５】
レンズ９は、主光源ＬＥＤ４から出射した光をシャーシ１の内側面１ａに集光する。レンズ９から出射された光を内側面１ａの反射シートで反射し拡散カバー２の方へ出射させる。レンズ９は、出射される光量が比較的大きい方向の光、具体的には主光源ＬＥＤ４の中心を通る光軸と同一方向または該光軸となす角度が小さい方向に出射される光を内側面１ａの外縁部付近に集光し、出射される光量が比較的小さい光、具体的には光軸となす角度が大きい方向に出射される光を内側面１ａの中央部付近（貫通孔１１の周縁付近）に集光する。換言すると、レンズ９から出射された光は、光が届きにくい内側面１ａの外縁部側に集光の中心を位置させてある。
【００５６】
これにより、指向性の強い光源である主光源ＬＥＤ４からの光を、内側面１ａの中央部から外縁部にわたる全域が略均一に照射されるように出射し、該内側面１ａにて光を反射して拡散カバー２の第１発光面２ａの輝度ムラを低減して略均一に発光させることが可能となる。これにより、通常照明使用時の主光源ＬＥＤ４点灯時に良好な外観を得ることができると共に、照明光のうち、主光源ＬＥＤ４からの直接光を低減してグレアを抑制することが可能となる。さらに、内側面１ａにて乱反射させた主光源ＬＥＤ４からの光で拡散カバー２を発光させるので、レンズ９の入射面９ａの両端部の角等に起因する筋状の輝度ムラも低減することが可能となる。
【００５７】
また、反射片８１ｃは、主光源ＬＥＤ４から拡散カバー２に対して垂直方向下方に出射された光を反射し、シャーシ１の内側面１ａ側へ進行させる。これにより、主光源ＬＥＤ４から直接拡散カバー２へ出射される光を低減して、グレアを抑制することが出来ると共に、主光源ＬＥＤ４の近傍に出射される強い光を内側面１ａにて反射および拡散させることで、より確実に第１発光面２ａの均一化を図ることができる。
【００５８】
第２ＬＥＤ基板５１は、図４に示すように第２実装面８１ａ２におけるシャーシ１側の端部に取り付けられる。常夜灯ＬＥＤ５は、内側面１ａに平行な面内におけるシャーシ１の中心方向に向けて光を出射する。換言すると、装置本体の中央部の空間Ｓの外縁部から該空間Ｓの中心方向に向けて光を出射する。
【００５９】
拡散カバー２の凹部２１は、環状のアングル８の内側に嵌合し、底面２１ａの内側の一端部２１ａ１はアダプタ装着部７の突出部７ｂの端部（他端７ａ２）と当接する。底面２１ａは、シャーシ１の内側面１ａにおける貫通孔１１の外周部分と平行をなして対向し、第２ＬＥＤ基板５１が位置する光源実装部８１ａの端部まで内側面１ａに近接させて配置される。これにより、内側面１ａ、底面２１ａ、突出部７ｂ及び光源実装部８１ａで囲まれる空間Ｓ１が空間Ｓ内部に形成される。空間Ｓ１内部における光源実装部８１ａ側の外縁部に、常夜灯ＬＥＤ５が位置する。
【００６０】
底面２１ａのシャーシ１側の一面２１ａ２には、センターカバー３を均一に発光させるための白色パターン２３が設けられている。すなわち、白色パターン２３は、第２発光面内における輝度の分布を調整する調整部である。
【００６１】
以下、図６および図７を用いて白色パターン２３について説明する。
図６および図７は、調整部としての底面２１ａに形成された白色パターンと、常夜灯ＬＥＤ５との位置関係を表す平面図である。図６は、常夜灯ＬＥＤ５が底面２１ａの外周２箇所に設けられている第１の例を表し、図７は、常夜灯ＬＥＤ５が底面２１ａの外周４箇所に設けられている第２の例を表す。
【００６２】
白色パターン２３は、光を反射するポリエステル樹脂製塗料や塩化ビニル系の塗料等の白色の塗料からなる塗装を一面２１ａ２全体的に施した反射領域２３ａに、上記塗装が施されていない光を透過する複数のドット状の透過部２３ａが所定の分布で設けられることで形成されている。すなわち、白色パターン２３は、図６および図７に示す底面２１ａにおける複数のドット上の透過部２３ａと、複数の斜線（ハッチング）で示され、透過部２３ａが設けられた領域以外の領域である、上記塗装が施された反射領域２３ｂからなる。
【００６３】
白色パターン２３は、中央に穴２２が設けられた底面２１ａの略全域にわたって形成される。また、本実施の形態では、反射領域２３ｂは入射した光のうち一部を反射し一部を透過することができる。これにより、反射領域２３ｂからもセンターカバー３側に光を出射させることが可能であるが、反射領域２３ｂは光を透過しない塗装から形成されてあってもよい。つまり、反射領域２３ｂは入射する光のうち少なくとも一部を反射すべく構成されてあればよい。
【００６４】
図６および図７に示す底面２１ａの平面図において、複数の常夜灯ＬＥＤ５は、底面２１ａの外周部に均等な間隔で配置されてある。常夜灯ＬＥＤ５の光出射方向に対向する領域には、反射領域２３ｂが形成され、当該常夜灯ＬＥＤ５からの光出射方向に対向する領域から底面２１ａの周方向へ離れた位置（周方向に隣接する位置）には複数の透過部２３ａが分布する領域が形成されてある。
【００６５】
透過部２３ａの分布密度は、底面２１ａの径方向において、底面２１ａの外周部側の他端部２１ａ４側から穴２２側（底面２１ａの中央部側）の一端部２１ａ１に近づくにしたがって低くなる。すなわち、白色パターン２３は、常夜灯ＬＥＤ５の光軸方向から離れた底面２１ａの外周部に近づくほど、つまり常夜灯ＬＥＤ５からの出射光の割合が小さい領域ほど、入射した光のうち透過する光の割合が大きくなるように形成されてある。また、光軸方向に近い底面２１ａの中央部に近づくほど、つまり常夜灯ＬＥＤ５からの出射光の割合が大きい領域ほど入射した光のうち反射する光の割合が大きくなるように形成されてある。
【００６６】
底面２１ａの反射領域２３ｂは、常夜灯ＬＥＤ５から出射された光または内側面１ａで反射された光を反射して、内側面１ａ側に光を出射する。また、反射領域２３ｂは、一部
の光を透過してセンターカバー３側に出射する。内側面１ａ側に出射された光は再度内側面１ａで反射され、底面２１ａ側へ進行する。底面２１ａの透過部２３ａが形成されてある領域は、常夜灯ＬＥＤ５から直接出射された光、または内側面１ａで反射された光を透過して、センターカバー３側に光を出射する。
【００６７】
これにより、常夜灯ＬＥＤ５から出射された光は、空間Ｓ１内の底面２１ａと内側面１ａとの間で反射を繰り返しながら進行する。常夜灯ＬＥＤ５の光軸となす角度が大きい出射角度の光ほど底面２１ａを透過してセンターカバー３側へ出射される光の割合が大きく、前記光軸となす角度が小さい出射角度の光ほど底面２１ａを透過してセンターカバー３側へ出射される光の割合が小さい。つまり、底面２１ａにおいては、光量が多い常夜灯ＬＥＤ５の光軸方向の近傍の領域ほど、白色パターン２３にて反射する光の割合が大きく、光量が少ない常夜灯ＬＥＤ５の光軸方向から遠ざかる領域ほど、白色パターン２３にて反射する光の割合が小さくなる、即ち底面２１ａを透過する光の割合が大きくなる。
【００６８】
また、常夜灯ＬＥＤ５の光軸方向の近傍から出射された光のうち一部は反射領域２３ｂおよび内側面１ａにて反射された後、穴２２を通過してセンターカバー３における中央部または出射した常夜灯ＬＥＤ５と反対側の領域に出射される。
【００６９】
これにより、内側面１ａからセンターカバー３側に出射される光の量を底面２１ａの面上において調整することで、センターカバー３全域に均一に光を照射することができる。従って、常夜灯ＬＥＤ５からの光によりセンターカバー３の第２発光面３ａを均一に発光させることができ、照明装置１００の常夜灯点灯時に良好な外観を得ることが可能となる。
【００７０】
本実施の形態においては、白色パターン２３は、一面２１ａ２に直接白色塗料を所定の分布で印刷することで形成される。なお、白色パターン２３の形成方法は、これに限らず、白色パターンを印刷したフィルムを底面２１ａ１に装着したり、反射シートを加工して形成する方法であってもよい。なお、白色パターン２３は底面２１ａにおける一面２１ａ２と反対側の他面２１ａ３に設けてもよい。また、本発明における反射領域の形成方法は、上記白色パターンによる形成方法に限定されず、底面２１ａの粗面化処理で凹凸を施す方法等他の方法により形成してもよい。
【００７１】
また、本実施の形態においては、調整部としての白色パターン２３を底面２１ａに設ける例にについて説明したが、本発明に係る調整部はこれに限らず、常夜灯ＬＥＤ５の光軸方向に対向する位置にアクリル等の樹脂製の導光体を設け、該導光体の一面にセンターカバー３側へ光を反射してセンターカバー３側へ出射する光量の分布を調整するための加工を施して形成してもよい。但し、当該導光体を設ける方法に比べ、上記白色パターン２３を底面２１ａに設ける方法の方が、導光体で吸収される光束がないので、光利用効率の点で有利である。
【００７２】
以上説明したように、本発明における装置本体は、中央部に空間Ｓが設けられた装置本体の外周における内側面１ａに対向する位置に主光源ＬＥＤ４からの光で発光する第１発光面２ａを有し、第１発光面２ａの内側、すなわち中央部の空間Ｓおよび内側面１ａに対向する位置に、常夜灯ＬＥＤ５からの光で発光する第２発光面３ａを有する。すなわち、装置本体の拡散カバー２側の全面でなく、当該全面に比較して面積が狭い中央部のセンターカバー３を常夜灯ＬＥＤ５による発光面とすることができる。これにより、常夜灯光源のように、光源の点数や光量が主光源に比較して少ない光源を点灯させたとしても、均一な発光面を得ることが可能となる。
【００７３】
また、主光源ＬＥＤ４および常夜灯ＬＥＤ５がともにシャーシ１の内側面１ａに対して
略平行に光を出射するように配置されており、反射部であるシャーシ１の内側面１ａに光を反射させて第１発光面２ａおよび第２発光面３ａを発光させる照明方式であるので、装置本体の厚みを増すことなく少ない光源点数で均一な発光面を得ることができる。
【００７４】
また、アングル８がシャーシ１と拡散カバー２との間に位置し、装置本体の中央部と外周部との間を仕切ることで、中央部の空間Ｓから外側の第１発光面２ａ側に向かう光を遮蔽し、常夜灯点灯時において第１発光面２ａと第２発光面３ａとの境界を明確にすることができる。これにより、より確実にセンターカバー３のみを均一に発光させることができる。
【００７５】
さらにまた、常夜灯ＬＥＤ５は、光源実装部８１ａの内側面１ａ側の端部に位置するように取り付けられてあり、底面２１ａは内側面１ａに対して垂直な方向において第２ＬＥＤ基板５１の位置まで内側面１ａに近接させて配置されてある。これにより、常夜灯ＬＥＤ５からの光が進行する内側面１ａと白色パターン２３との間の距離（すなわち空間Ｓ１の、内側面１ａに直交する方向の距離）を短くすることができ、内側面１ａおよび白色パターン２３に入射する光量を増大することができるので、白色パターン２３により底面２１ａからセンターカバー３側へより均一に光を出射させることが可能となる。
【００７６】
また、底面２１ａを内側面１ａ側に近接させることで、底面２１ａとセンターカバー３との距離を大きくとることができ、底面２１ａからセンターカバー３側へ出射された光をより拡散させてセンターカバー３へ入射させることができる。これにより、シャーシ１からセンターカバー３までの距離が短い薄型の装置本体であったとしても均一な第２発光面３ａを得ることが可能となる。
【００７７】
アダプタ装着部７の突出部７ｂは、常夜灯ＬＥＤ５の光出射方向に対向して配置されるが、突出部７ｂは光を透過する樹脂材料製であるので、突出部７ｂに入射した光をセンターカバー３側、またはローゼット接続アダプタ６の面６ａ側に出射する。面６ａは光を反射する反射面であるので、面６ａに入射した光は反射して穴２２を通過し、センターカバー３側へ出射される。
【００７８】
突出部７ｂを光透過性の樹脂材料にて形成することで、アダプタ装着部７の一部が常夜灯光源５の光出射方向側に位置する場合であっても、常夜灯光源５からの光を遮蔽することなく、第２発光面３ａを発光させるために利用することが可能となる。なお、アダプタ装着部７は装置本体の空間Ｓ内部に突出させる構成は必須ではないが、突出部７ｂおよび凹部２１により常夜灯光源５を覆うことで、使用者が照明装置１００の設置時等に活電部である常夜灯光源５に触れることを防止できるので、感電を防止することが可能である。
【００７９】
本実施の形態においては、主光源ＬＥＤ４を構成する２種類の主光源である電球色ＬＥＤと昼白色ＬＥＤおよび常夜灯ＬＥＤ５（電球色ＬＥＤを）をそれぞれ独立して点灯させることが可能である。図５は、本実施の形態における、主光源ＬＥＤ４および常夜灯ＬＥＤ５に供給する電力を制御する電源回路の構成を表すブロック図である。
【００８０】
なお、図示されていないが、電源回路はシャーシ１の取付け面側の面（背面）である外側面１ｂにおける貫通孔１１の周囲のアダプタ装着部７の外周部に設けられる。電源回路を装置本体内部に収容せず、シャーシ１の背面である外側面１ｂに設けることで、装置本体内部に空間Ｓを形成することができ、該空間Ｓを利用して常夜灯ＬＥＤ５による第２発光面３ａを形成することが可能となる。但し、電源回路が設けられる配置位置は上記外側面１ｂに限定されず、空間Ｓの形成が可能であれば装置本体内部であってもよい。
【００８１】
電源回路は、リモコン１０１等の操作部からの制御信号を受光する受光部１０２、主光
源ＬＥＤ４を構成する昼白色ＬＥＤ４ａ、電球色ＬＥＤ４ｂおよび常夜灯ＬＥＤ５の各光源にそれぞれ接続され各光源の調光率を制御して電力を供給する電源制御部１０３、受光部１０２からの制御信号に基き電源制御部１０３を制御する制御マイコン１０４等を備える。
【００８２】
制御マイコン１０４は、各電源制御部１０３に主光源ＬＥＤ４または常夜灯ＬＥＤ５を駆動するためのＰＷＭ信号を出力させる。各電源制御部１０３は、ＰＷＭ信号に応じて主光源ＬＥＤ４または常夜灯ＬＥＤ５に電流を供給する。制御マイコン１０４により、各電源制御部１０３を独立に制御可能であるので、各光源は所望の調光率で点灯制御することができる。
【００８３】
制御マイコン１０４は、各光源の調光率を制御することができるとともに、主光源ＬＥＤ４により発光する第１発光面２ａの調色制御が可能である。具体的には、主光源ＬＥＤ４を構成する昼白色ＬＥＤ４ａと電球色ＬＥＤ４ｂの調光率の比率を可変することで、拡散カバー２の第１発光面２ａ上で混合する色温度の異なる各ＬＥＤからの光量の比率が変化し、第１発光面２ａの色調が変化する。例えば、電球色ＬＥＤ４ｂに対して昼白色ＬＥＤ４ａの調光率の割合が大きくなるよう制御することで、第１発光面２ａの色温度が高くなるように調色でき、昼白色ＬＥＤ４ａに対して電球色ＬＥＤ４ｂの調光率の割合が大きくなるよう制御することで、第１発光面２ａの色温度が低くなるように調色することができる。
【００８４】
また、照明装置１００の常夜灯を点灯させるときには、主光源ＬＥＤ４を消灯させ、常夜灯ＬＥＤ５のみを点灯させることで第２発光面３ａのみ均一に発光させることが可能である。さらに、主光源ＬＥＤ４を点灯させて第１発光面２ａを発光させると同時に、常夜灯ＬＥＤ５を点灯させて第２発光面３ａを発光させることもできる。これにより、装置本体の拡散カバー２側の全面を発光させることができ、通常使用時に違和感のない外観を得ることができる。このとき、主光源ＬＥＤ４と常夜灯ＬＥＤ５の色温度を同一にすることで、装置本体の拡散カバー２側の全面において、輝度および色調共にムラのない均一な発光面を得ることができる。従って、本発明における第２光源の用途は、常夜灯光源に限定されず、主光源、または補助光源としても使用することができる。
【００８５】
以上、本発明の１つの実施例として所謂シーリングライト型の照明装置について説明したが、本発明に係る照明装置は、これに限らずダウンライトや、ブラケットライト等他の形体の照明装置にも適用可能であることは言うまでもない。
【符号の説明】
【００８６】
１  シャーシ（装置本体）
１ａ  内側面（反射部）
２  拡散カバー（装置本体）
２ａ  第１発光面
３  センターカバー
３ａ  第２発光面
４  主光源ＬＥＤ（第１光源）
５  常夜灯ＬＥＤ（第２光源）
６  ローゼット接続アダプタ
７  アダプタ装着部
７ｂ  突出部
８  アングル（光源取付部）
２１ａ  底面
２３  白色パターン（調整部）
Ｓ  空間
【図１】
2013110030.tif 000003
【図２】
2013110030.tif 000004
【図３】
2013110030.tif 000005
【図４】
2013110030.tif 000006
【図５】
2013110030.tif 000007
【図６】
2013110030.tif 000008
【図７】
2013110030.tif 000009
【図８】
2013110030.tif 000010